(57)【要約】【課題】電気機器の寿命を容易に推定することが可能な電気機器の寿命判定方法、及び電気機器の寿命判定プログラムを記録したコンピュータ読み取り可能な記録媒体を提供する。【解決手段】電気機器（変圧器）の巻線２の表面に温度履歴指示材としての紙１を貼り付け、この紙１の明度を測定する。測定された値から、予め求められている紙の明度と電気機器の寿命との関係を表わす特性式（アレニウスプロット）を用いて電気機器の余寿命を演算する。これにより、電気機器の寿命を容易に推定することができる。【選択図】  図１
2004177304.tif 000002
【特許請求の範囲】
【請求項１】
温度履歴指示材を電気機器の所定箇所に設け、所定箇所に設けられた前記温度履歴指示材の色の３要素の一つについての値を測定し、測定された値から、予め求められた色の３要素の一つと電気機器の寿命との関係を表わす特性式を用いて、電気機器の余寿命を演算することを特徴とする電気機器の寿命判定方法。
【請求項２】
温度履歴指示材を電気機器の所定箇所に設け、所定箇所に設けられた前記温度履歴指示材の色の３要素の一つについての値を測定し、測定された値を、電気機器の寿命を表わす値と比較することにより、寿命に達しているか否かを判定することを特徴とする電気機器の寿命判定方法。
【請求項３】
温度履歴指示材を電気機器の所定箇所に設け、所定箇所に設けられた前記温度履歴指示材の反射率を測定し、測定された値から、予め求められた反射率と電気機器の寿命との関係を表わす特性式を用いて、電気機器の余寿命を演算することを特徴とする電気機器の寿命判定方法。
【請求項４】
温度履歴指示材を電気機器の所定箇所に設け、所定箇所に設けられた前記温度履歴指示材の反射率を測定し、測定された値を、電気機器の寿命を表わす値と比較することにより、寿命に達しているか否かを判定することを特徴とする電気機器の寿命判定方法。
【請求項５】
温度履歴指示材を電気機器の所定箇所に設け、所定箇所に設けられた前記温度履歴指示材の色の３要素のうちの複数の要素についてのそれぞれの値を測定し、測定されたそれぞれの値から、予め求められたそれぞれの要素と電気機器の寿命との関係を表わす特性式を用いて、電気機器の余寿命をそれぞれ演算し、演算結果をそれぞれ出力することを特徴とする電気機器の寿命判定方法。
【請求項６】
請求項１乃至請求項５のいずれかに記載の電気機器の寿命判定方法において、前記電気機器の所定箇所に最高温度指示材を設け、所定箇所に設けられた前記最高温度指示材の指示温度が、所定の温度以上の温度を指示しているときは、前記余寿命の演算の結果または前記寿命に達しているか否かの判定の結果に拘わらず、寿命に達していると判定することを特徴とする電気機器の寿命判定方法。
【請求項７】
温度履歴指示材を電気機器の所定箇所に設け、所定箇所に設けられた前記温度履歴指示材の明度を測定し、測定された値から、予め求められた明度と電気機器の寿命との関係を表わす特性式を用いて、電気機器の余寿命を演算することを特徴とする電気機器の寿命判定方法。
【請求項８】
請求項７に記載の電気機器の寿命判定方法において、前記温度履歴指示材の明度に加えて、彩度と色相のうちの少なくとも一つについての値を測定し、測定された値から、予め求められた彩度と色相のうちの少なくとも一つと電気機器の寿命との関係を表わす特性式を用いて、電気機器の余寿命を演算し、その演算結果を、前記明度について測定された値からの演算結果とともに出力することを特徴とする電気機器の寿命判定方法。
【請求項９】
電気機器の所定箇所に設けられた温度履歴指示材の色の３要素の一つについての値を取り込む機能と、この機能により取り込まれた値から、予め求められた色の３要素の一つと電気機器の寿命との関係を表わす特性式を用いて、電気機器の余寿命を演算する機能とをコンピュータに実現させるための電気機器の寿命判定プログラムを記録したコンピュータ読み取り可能な記録媒体。
【請求項１０】
電気機器の所定箇所に設けられた温度履歴指示材の反射率を取り込む機能と、この機能により取り込まれた反射率から、予め求められた反射率と電気機器の寿命との関係を表わす特性式を用いて、電気機器の余寿命を演算する機能とをコンピュータに実現させるための電気機器の寿命判定プログラムを記録したコンピュータ読み取り可能な記録媒体。
【請求項１１】
電気機器の所定箇所に設けられた温度履歴指示材の色の３要素のうちの複数の要素についてのそれぞれの値を取り込む機能と、この機能により取り込まれたそれぞれの値から、予め求められたそれぞれの要素と電気機器の寿命との関係を表わす特性式を用いて、電気機器の余寿命をそれぞれ演算する機能と、この機能により演算された演算結果をそれぞれ出力する機能とをコンピュータに実現させるための電気機器の寿命判定プログラムを記録したコンピュータ読み取り可能な記録媒体。
【発明の詳細な説明】
【０００１】
【発明の属する技術分野】
本発明は、電気機器の寿命判定方法、及び電気機器の寿命判定プログラムを記録したコンピュータ読み取り可能な記録媒体に関するものである。
【０００２】
【従来の技術】
従来、例えば、低温流通食品等においては、温度上昇の影響を受けやすく、温度管理が重要であるため、その管理に、温度の履歴を残す温度履歴インジケータが用いられている（例えば、特許文献１参照）。
【０００３】
電気機器においても寿命は、使用される材料の種類と材料に加わる温度履歴に大きく依存している。
【０００４】
そこで、電気機器の寿命を判定する方法として、温度指示ラベルを使用して観察時点の温度を指示する方法、最高温度を保持して示す方法、その他の方法により温度を連続記録したり監視したりする方法がある。
【０００５】
しかし、連続監視が行われるのは重要な電気機器だけであり、一般の電気機器では最高温度を保持して示すラベルを貼って異常な温度上昇を監視するだけである。あるいは定期的に温度を測定し正常かどうかの判定を行う。
【０００６】
【特許文献１】
特開平１１−９４６５３号公報（第２頁、図１）
【０００７】
【発明が解決しようとする課題】
電気機器の寿命を判定する方法としては、上述のように、電気機器に温度指示ラベルを使用して、動作による発熱による温度上昇を測定するため観察時点の温度を指示したり、最高温度を保持して示したりする方法がある。
【０００８】
しかし、観察時点の温度が分かってもその時点での異常の有無がわかるだけで寿命が分かるわけではない。また最高温度を保持するラベルを使用した場合は、今まで正常に動作していることの判定ができるが、やはり寿命が分かるわけではない。
【０００９】
寿命は一般的には使用温度と時間によって決まってくる。高い温度で使用すると寿命は短くなり、低い温度で使用すると寿命は長くなる。この関係は温度を絶対温度の逆数、寿命を対数で表すと直線になると言われており、アレニウスの法則として知られている。通常は１つの直線で表されることが多いが、２本の直線となることもある。
【００１０】
寿命は平均の寿命で表すことが多いが、故障の分布から、たとえば１％故障する時点を寿命とすることもあり、それぞれの機器に要求される信頼度により異なる。機器に使用される材料や、動作温度を設計の時にいくらにするか等により寿命は異なってくる。
【００１１】
従って、電気機器の動作温度と使用時間が分かればある程度の余寿命が推定できる。しかし、電気機器の動作時の温度は周りの温度、動作とか負荷の違いにより変化するため、一定の温度にはならない。また、機器を停止させることもある。このため、動作温度と使用時間から余寿命を推定することは難しい。
【００１２】
機器の漏れ電流（耐アース間の絶縁抵抗）や特定の部品の特性を測定して余寿命を推定することも一部行われている。しかし、この方法では、測定のための装置や人手が必要となり、高コストとなるという問題があった。
【００１３】
本発明は、従来のこのような点に鑑みて為されたもので、電気機器の寿命を容易に推定することが可能な電気機器の寿命判定方法、及び電気機器の寿命判定プログラムを記録したコンピュータ読み取り可能な記録媒体を提供することを目的とする。
【００１４】
【課題を解決するための手段】
本発明に係る電気機器の寿命判定方法は、温度履歴指示材を電気機器の所定箇所に設け、所定箇所に設けられた温度履歴指示材の色の３要素の一つについての値を測定し、測定された値から、予め求められた色の３要素の一つと電気機器の寿命との関係を表わす特性式を用いて、電気機器の余寿命を演算することを特徴とする。
【００１５】
本発明によれば、容易に、電気機器の余寿命を推定することができる。
【００１６】
ここで、温度履歴指示材の色の３要素の一つの代わりに、温度履歴指示材の反射率を用いることもできる。
【００１７】
また、本発明に係る電気機器の寿命判定方法は、温度履歴指示材を電気機器の所定箇所に設け、所定箇所に設けられた温度履歴指示材の色の３要素の一つについての値を測定し、測定された値を、電気機器の寿命を表わす値と比較することにより、寿命に達しているか否かを判定することを特徴とする。
【００１８】
本発明によれば、容易に、電気機器が寿命に達しているか否かを判定することができる。
【００１９】
ここで、温度履歴指示材の色の３要素の一つの代わりに、温度履歴指示材の反射率を用いることもできる。
【００２０】
また、本発明に係る電気機器の寿命判定方法は、温度履歴指示材を電気機器の所定箇所に設け、所定箇所に設けられた温度履歴指示材の色の３要素のうちの複数の要素についてのそれぞれの値を測定し、測定されたそれぞれの値から、予め求められたそれぞれの要素と電気機器の寿命との関係を表わす特性式を用いて、電気機器の余寿命をそれぞれ演算し、演算結果をそれぞれ出力することを特徴とする。
【００２１】
本発明によれば、容易に、しかも精度よく、電気機器の余寿命を推定することができる。
【００２２】
また、本発明に係る電気機器の寿命判定プログラムを記録したコンピュータ読み取り可能な記録媒体は、電気機器の所定箇所に設けられた温度履歴指示材の色の３要素の一つについての値を取り込む機能と、この機能により取り込まれた値から、予め求められた色の３要素の一つと電気機器の寿命との関係を表わす特性式を用いて、電気機器の余寿命を演算する機能とをコンピュータに実現させるための電気機器の寿命判定プログラムを記録したことを特徴とする。
【００２３】
本発明に係る電気機器の寿命判定プログラムを記録したコンピュータ読み取り可能な記録媒体を用いることにより、容易に、電気機器の余寿命を推定することができる。
【００２４】
ここで、温度履歴指示材の色の３要素の一つの代わりに、温度履歴指示材の反射率を用いることもできる。
【００２５】
また、本発明に係る電気機器の寿命判定プログラムを記録したコンピュータ読み取り可能な記録媒体は、電気機器の所定箇所に設けられた温度履歴指示材の色の３要素のうちの複数の要素についてのそれぞれの値を取り込む機能と、この機能により取り込まれたそれぞれの値から、予め求められたそれぞれの要素と電気機器の寿命との関係を表わす特性式を用いて、電気機器の余寿命をそれぞれ演算する機能と、この機能により演算された演算結果をそれぞれ出力する機能とをコンピュータに実現させるための電気機器の寿命判定プログラムを記録したことを特徴とする。
【００２６】
本発明に係る電気機器の寿命判定プログラムを記録したコンピュータ読み取り可能な記録媒体を用いることにより、容易に、しかも精度よく、電気機器の余寿命を推定することができる。
【００２７】
【発明の実施の形態】
以下、図面を参照して本発明の実施形態について詳細に説明する。
【００２８】
（第１の実施形態）
この実施形態においては、温度履歴指示材としての紙を電気機器の所定箇所に貼り付ける。ここで、熱劣化による特性低下が寿命を左右する電気部品の所定箇所に貼り付けると効果的である。例えば、電気機器の一例として変圧器に適用した場合は、図１のように、巻線２、押さえ板３、鉄心４、及び端子５から構成される変圧器の巻線２の表面に温度履歴指示材としての紙１を貼り付ける。温度履歴指示材としての紙１を貼り付ける位置は、表面温度が内部の温度上昇に対応して表面の温度上昇がある場所が良い。又、全ての電気機器に貼り付けるのではなく、特に温度上昇がある部品、例えば、無停電電源装置の充電池、インバータ装置のリアクトルやコンデンサ、ファン等の装置に組み込まれたモータ等に貼り付けてもよい。
【００２９】
紙１に熱が加わると変色する。色の３要素（明度、彩度、色相）の１つの明度を例えば分光測色計で測定することにより電気機器（変圧器）に加わった温度履歴がわかり、あらかじめ求めている紙の温度・時間と明度の関係と、電気機器１０のアレニウス特性（温度と寿命との関係）から、電気機器がアレニウス特性のどの点にあるかが分かる。これらのことにより電気機器の余寿命を容易に判定（推定）できる。
【００３０】
この実施形態においては、次に述べる原理及び方法により性能向上が図られている。
【００３１】
電気機器の寿命は使用温度が高いほど寿命が短くなる。
【００３２】
図２に、９０℃から１７０℃で紙１を加熱した時の色の変化を明度で示した。紙の明度の時間変化６を示すグラフ上では、初期の明度を０．１時間の位置に表示している。
【００３３】
これをもとにアレニウスプロットを求める。例えば、１７０℃と１６０℃のデータは明度が４９以上では両方のデータがあり、明度１置きに１７０℃の明度になるのに１６０℃では何倍の時間（加速係数）が必要かをグラフから求める。他の温度についても同様にして求める。この結果は図３のようになり、温度を絶対温度として逆数にとり、時間の対数としてグラフを書くと明度のアレニウスプロット７の直線となる。図３では２つの直線となり、紙１の変色は１４０℃の前後で現象が異なっていることが分かる。
【００３４】
図３の直線で示される加速係数で図２の紙の明度の時間変化６を１７０℃に合わせて書き直すと図４になる。各温度の線が重なり、良く一致していることが分かる。
【００３５】
紙１の明度がある値になった時を電気機器の寿命と考えると、寿命のアレニウスプロットは図３の直線を上下に平行移動させた直線となる。例として明度が５０になる点、６０になる点、７０になる点を寿命とした場合のアレニウスプロット８を図５に示す。これをもとに余寿命を求める。
【００３６】
余寿命を求める例として、ある電気機器（変圧器）の寿命が紙１の明度５０の点である時を考える。図５では、明度６０は明度５０の４４％の時間であり、明度７０は明度５０の１６％の時間である。従って、電気機器に貼り付けた紙１が明度６０であれば、全寿命の４４％を経過してしまっており、残り５６％である。今までと同じ使用条件では５６／４４＝１．２７となり、今までの使用時間の１．２７倍使用可能となる。
【００３７】
このようにして、電気機器（変圧器）に貼り付けた紙１の明度を測定することにより、使用条件が同じ、つまり同じ使用温度なら、今までに使用した時間に対してどのくらいの余寿命があるかを容易に判定（推定）することができる。
【００３８】
また、色の３要素には明度の他に彩度、色相がある。図２の測定において、明度と同時に彩度、色相を測定することができ、紙の明度と彩度の関係９を図６に、紙の明度と色相の関係１０を図７に示す。温度が異なっても、明度、彩度、色相の３要素は関連を持って変化している。明度が最も判定しやすい変化を示しているため、明度で判定する方法が適切である。しかし、彩度、色相を基準にして判定することも可能である。
【００３９】
なお、図２〜図７のデータは分光測色計（分光測色方法）を使用して測定したものであるが、安価なイメージスキャナを利用することも可能である（なお、イメージスキャナは色彩計（刺激値直読方法）で、光の三原色（三刺激値）を測定することになる）。
【００４０】
また、紙１の色の３要素の一つの代わりに、紙１の反射率（ある波長の光の反射率）を測定して、同様に実施することもできる。
【００４１】
更に、紙１の色の３要素の一つ、または紙１の反射率の測定された値から、余寿命を演算する代わりに、測定された値（例えば明度６０）を、電気機器（変圧器）の寿命となる値（例えば明度５０）と比較することにより、電気機器（変圧器）が寿命に達しているか否かを判定することができる。
【００４２】
また、温度履歴指示材として、紙を用いるかわりに、温度・時間により色、または反射率が変化するプラスティック、または塗料を用いることもできる。
【００４３】
（第２の実施形態）
次に、本発明の第２の実施形態について説明する。この実施形態は、上述の第１の実施形態における余寿命の判定を、コンピュータを用いて行うこととしたものである。
【００４４】
すなわち、この実施形態においては、電気機器の寿命判定プログラムを記録した記録媒体をコンピュータで読み取らせてその寿命判定プログラムを実行させ、図８のフローチャートで示すような手順で処理を行う。
【００４５】
電気機器に貼り付けられた紙１の明度を例えば分光測色計で測定して取り込み（ステップＳ８０１）、予め求められて記憶されている明度と電気機器の寿命との関係を表わす特性式（図５）を用いて、寿命となる明度（例えば５０）に対する測定した明度（例えば６０）の時間比率Ａ％（例えば４４％）を求める（ステップＳ８０２）。次に、寿命となる明度（例えば５０）までの残りの時間比率Ｂ（＝１００−Ａ）％（例えば５６％）を演算する（ステップＳ８０３）。そして、余寿命Ｃ（＝Ｂ／Ａ）倍（例えば、５６／４４＝１．２７）を演算し（ステップＳ８０４）、その演算結果を出力する（ステップＳ８０５）。
【００４６】
このようにして、電気機器（変圧器）の余寿命の判定を、コンピュータを用いて容易に行うことができる。
【００４７】
また、このようにコンピュータを用いる場合も、明度の代わりに彩度、色相を基準にして判定することも可能であり、また紙１の色の３要素の一つの代わりに、紙１の反射率（ある波長の光の反射率）により判定することもできる。
【００４８】
（第３の実施形態）
次に、本発明の第３の実施形態について説明する。上述の第１の実施形態においては、紙１の色の３要素の一つ、または紙１の反射率を測定して余寿命を判定しているが、この第３の実施形態は、紙１の色の３要素のうちの複数の要素を同時に測定して余寿命を判定することとしたものである。
【００４９】
例えば、分光測色計では色の３要素が同時に測定できることから、３要素でそれぞれ余寿命を求め、これらを比較することにより、劣化でない汚れなどの色の変化を取り除くことができ、精度が向上する。
【００５０】
また、図６に示すように、彩度と明度は必ずしも１対１に対応せず、また、色相と図７に示すように、色相と明度の関係は傾きが急峻に変化する線状の関係になることから、例えば、色の３要素のうち、明度により余寿命を求め、彩度または色相のうちの少なくとも一方から求めた余寿命を補助的に使用して判定する（例えば、明度により求めた余寿命と、彩度または色相のうちの少なくとも一方から求めた余寿命とを比較し、それらの値が一定の許容範囲を越えて異なる場合はいずれの値も採用せず再測定を行い、一定の許容範囲内にある場合は例えば明度により求めた余寿命の値を採用する。）ことにより、劣化でない汚れなどの色の変化を取り除くことができ、より精度を向上させることができる。
【００５１】
（第４の実施形態）
次に、本発明の第４の実施形態について説明する。この実施形態は、上述の第３の実施形態における余寿命の判定を、コンピュータを用いて行うこととしたものである。
【００５２】
すなわち、この実施形態においては、電気機器の寿命判定プログラムを記録した記録媒体をコンピュータで読み取らせてその寿命判定プログラムを実行させ、図９のフローチャートで示すような手順で処理を行う。
【００５３】
電気機器に貼り付けられた紙１についての色の３要素をそれぞれ例えば分光測色計で測定して取り込み（ステップＳ９０１）、予め求められて記憶されているそれぞれの要素と電気機器の寿命との関係を表わす特性式を用いて、寿命となるそれぞれの要素の値に対する測定したそれぞれの要素の値の時間比率Ａ１、Ａ２、Ａ３（％）を求める（ステップＳ９０２）。次に、寿命となるそれぞれの要素の値（例えば５０）までの残りの時間比率Ｂ１（＝１００−Ａ１）、Ｂ２（＝１００−Ａ２）、Ｂ３（＝１００−Ａ３）（％）を演算する（ステップＳ９０３）。そして、余寿命Ｃ１（＝Ｂ１／Ａ１）、Ｃ２（＝Ｂ２／Ａ２）、Ｃ３（＝Ｂ３／Ａ３）（倍）を演算する（ステップＳ９０４）。そしてそれらの値が一定の許容範囲内（例えばＣ１、Ｃ２、Ｃ３のうちの最大のものが最小のものの１．１倍以内）にあるか否かを判定し（ステップＳ９０５）、一定の許容範囲を越えている場合はいずれの値も採用せず再測定を行い（ステップＳ９０１に戻る）、一定の許容範囲内にある場合はそれらの余寿命の値Ｃ１、Ｃ２、Ｃ３を出力する（ステップＳ９０６）。
【００５４】
このようにして、電気機器（変圧器）の余寿命の判定を、コンピュータを用いて容易に行うことができる。また色の３要素のそれぞれについて演算した余寿命の値が一定の許容範囲内の場合にこれらの値を出力し、一定の許容範囲を越えている場合はいずれの値も採用せず再測定を行うこととしているので、精度を向上させることができる。
【００５５】
（第５の実施形態）
次に、本発明の第５の実施形態について説明する。この実施形態は、上述の各実施形態の温度履歴指示材に加えて、最高温度を色の変化で保持する最高温度指示材を用いることとしたものである。
【００５６】
上述の各実施形態では平均使用温度を基準としているが、最高温度を色の変化で保持する最高温度指示材を併用して使用すると、異常な温度上昇の有無がわかり、より正確な寿命判定が可能である。
【００５７】
例えば、温度履歴指示材である紙１と並べて最高温度指示材を貼り付ける。そして、この最高温度指示材の指示温度が、所定の温度以上の温度を指示しているときは、上述の各実施形態における温度履歴指示材である紙１による余寿命の演算の結果または寿命に達しているか否かの判定の結果に拘わらず、寿命に達していると判定する。
【００５８】
（他の実施形態）
電気機器に貼り付ける温度履歴指示材としての紙１については、以下に述べるような種々の実施形態とすることができる。
【００５９】
温度履歴指示材としての紙１は、図１のように電気機器（変圧器）に貼り付けて紙の色変化を見る。この紙１に文字等を印刷してラベルと兼用することも可能であるが、色を、分光測色計で測定するためには、ある面積が必要である。一般の分光測色計には直径３ｍｍ位から数ｃｍ位の面積が必要なため、字を印刷しない空白の大きさを測定器に合わせて確保することが必要である。イメージスキャナを使用するときは字の隙間でもパソコンを使用することにより容易に明度を求めることができる。
【００６０】
また、紙１を電気機器に貼り付けたまま測定するときは測定器の構造、大きさなどを考慮して適切な場所に貼り付ける。
【００６１】
紙１の明度の測定において、普通の紙の厚さでは紙を貼っている面の色により異なり、面が白の場合と黒の場合では明度の値が１０位違うこともある。従って、図２のように基準となるデータは、電気機器の面の色に合わせるとか、紙を剥がして一定の面で測る必要がある。
【００６２】
紙の裏側が黒色のものを利用すると貼り付ける面の色を考慮しなくても良くなる。あるいは黒色でなくても色が濃いものあるいは光を透過させず、変色しないものでも良い。
【００６３】
紙の変色は熱だけではなく、太陽光（特に紫外線）によっても起こる。従って、太陽光があたる場合には光を遮断するため、紙にカバーを取り付ける必要がある。金属のように簡単に光を遮断するもので紙を覆うと良い。あるいは金属製のラベルの裏側に紙を貼り付けても良いが、金属製のラベルが容易に取り外せる構造にする必要がある。
【００６４】
紙を貼り付ける位置は寿命を左右する部分の温度であればよいが、離れていて温度の低下があっても、実際の温度との相関性を明確にしていれば良い。
【００６５】
紙の汚れを防ぐため、透明なフィルムで紙の表面をコーティングしても良い。この場合はコーティング紙で、もととなるデータを取得しなければならない。あるいは測定時にフィルムを剥がせるようにしても良い。
【００６６】
また、上述の各実施形態においては、色の３要素を、明度、彩度、色相とし、Ｌ＊Ｃ＊ｈ表色（Ｌ＊は明度、Ｃ＊は彩度、ｈは色相）による測定データを用いて説明したが、色の数値化としては、Ｌ＊Ｃ＊ｈ表色に限らず、他の表色系、例えば、Ｌ＊ａ＊ｂ＊表色（明度をＬ＊、色相と彩度を示す色度をａ＊ｂ＊で表わす）、ハンターＬａｂ表色、マンセル表色（色の三属性である明度、彩度、色相をもとに、それぞれ番号や記号で分類された色票を用いて表わす）、ＸＹＺ（Ｙｘｙ）表色（光の三原色（Ｒ＝赤、Ｇ＝緑、Ｂ＝青）の加法混色の原理に基づいて発展したもので、色度図を使って色をＹｘｙの３つの値で表わし、Ｙが反射率で明度に対応し、ｘｙが色度となる）、Ｌ＊ｕ＊ｖ＊表色（所定の三次元直交座標を用いる色空間をＬ＊ｕ＊ｖ＊色空間とし、この色空間を用いて表わす）等を用いることができるので、これらの表色系を用い、色の３要素をそれぞれの表色系に対応したものとして実施してもよい。
【００６７】
【発明の効果】
以上説明したように、この発明によれば、電気機器の余寿命を容易に推定し、寿命に達した電気機器の効率的な更新を行うことができる。
【図面の簡単な説明】
【図１】本発明の第１の実施形態における電気機器（変圧器）に温度履歴指示材としての紙を貼り付けた状態を示す正面図。
【図２】本発明の第１の実施形態における紙の様々な温度における明度の時間変化を示す図。
【図３】本発明の第１の実施形態において紙の明度のアレニウスプロットで同じ明度に低下する時間が１７０℃の何倍かを示す図。
【図４】紙の明度の時間変化を示す図２を、図３に基づいて、１７０℃に合わせて書き直すとアレニウスプロットに良く合うことを示すための図。
【図５】本発明の第１の実施形態における紙の明度の５０、６０、７０に達する時間のアレニウスプロットを示す図。
【図６】本発明の第１の実施形態において紙の明度と彩度の関係が温度に依らず同じ関係であることを示すための図。
【図７】本発明の第１の実施形態において紙の明度と色相の関係が温度に依らず同じ関係であることを示す図。
【図８】本発明の第２の実施形態における余寿命判定の処理手順を示すフローチャート。
【図９】本発明の第４の実施形態における余寿命判定の処理手順を示すフローチャート。
【符号の説明】
１…紙
２…巻線
３…押さえ板
４…鉄心
５…端子
６…紙の明度の時間変化
７…明度のアレニウスプロット
８…ある明度のアレニウスプロット
９…紙の明度と彩度の関係
１０…紙の明度と色相の関係
【図１】
2004177304.tif 000003
【図２】
2004177304.tif 000004
【図３】
2004177304.tif 000005
【図４】
2004177304.tif 000006
【図５】
2004177304.tif 000007
【図６】
2004177304.tif 000008
【図７】
2004177304.tif 000009
【図８】
2004177304.tif 000010
【図９】
2004177304.tif 000011